【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
第１取得条件の成立に基づいて第１情報を取得する第１取得手段と、
第２取得条件の成立に基づいて第２情報を取得する第２取得手段と、
前記第１取得手段により取得された前記第１情報に基づいて第１判定条件の成立を契機に判定を実行する第１判定手段と、
前記第２取得手段により取得された前記第２情報に基づいて第２判定条件の成立を契機に判定を実行する第２判定手段と、
前記第１判定手段による前記第１情報の判定結果を示すための第１識別情報と、前記第２判定手段による前記第２情報の判定結果を示すための第２識別情報とを表示可能な表示手段と、
その表示手段に前記第１識別情報を所定の第１期間動的表示させる第１動的表示手段と、
前記表示手段に前記第２識別情報を所定の第２期間動的表示させる第２動的表示手段と、を有し、
前記第１動的表示手段により前記第１識別情報が動的表示されている間に、前記第２動的表示手段により前記第２識別情報を動的表示させることが可能に構成され、前記表示手段に前記第１識別情報または前記第２識別情報が特定の表示態様で停止表示された場合に、それぞれに対応した特定遊技が実行される遊技機において、
前記第１取得手段により取得された前記第１情報を、少なくとも当該第１情報に対する前記第１判定条件が成立するまで、第１の所定数を上限に記憶可能な第１記憶手段と、
前記第２取得手段により取得された前記第２情報を、少なくとも当該第２情報に対する前記第２判定条件が成立するまで、第２の所定数を上限に記憶可能な第２記憶手段と、
前記第１記憶手段に記憶された前記第１情報の記憶数と、前記第２記憶手段に記憶された前記第２情報の記憶数とを識別可能な記憶数情報を前記表示手段に所定の記憶表示態様で表示させる記憶情報表示手段と、
前記第１記憶手段に記憶された前記第１情報を、当該第１情報に基づく前記第１識別情報の動的表示が開始されるまでに事前に判別可能な第１事前判別手段と、
前記第２記憶手段に記憶された前記第２情報を、当該第２情報に基づく前記第２識別情報の動的表示が開始されるまでに事前に判別可能な第２事前判別手段と、
前記第１事前判別手段の判別結果と、前記第２事前判別手段の判別結果と、に基づいて所定の事前判別情報を設定する事前判別情報設定手段と、
遊技者が可能な操作手段と、
その操作手段が操作された場合に、前記記憶情報表示手段により前記表示手段に表示された前記記憶表示態様を、前記事前判別情報設定手段により設定された前記事前判別情報を示すための特定記憶表示態様に変更する表示態様変更手段と、を有するものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００７
【補正方法】変更
【補正の内容】
【０００７】
この目的を達成するために請求項１記載の遊技機は、第１取得条件の成立に基づいて第１情報を取得する第１取得手段と、第２取得条件の成立に基づいて第２情報を取得する第２取得手段と、前記第１取得手段により取得された前記第１情報に基づいて第１判定条件の成立を契機に判定を実行する第１判定手段と、前記第２取得手段により取得された前記第２情報に基づいて第２判定条件の成立を契機に判定を実行する第２判定手段と、前記第１判定手段による前記第１情報の判定結果を示すための第１識別情報と、前記第２判定手段による前記第２情報の判定結果を示すための第２識別情報とを表示可能な表示手段と、その表示手段に前記第１識別情報を所定の第１期間動的表示させる第１動的表示手段と、前記表示手段に前記第２識別情報を所定の第２期間動的表示させる第２動的表示手段と、を有し、前記第１動的表示手段により前記第１識別情報が動的表示されている間に、前記第２動的表示手段により前記第２識別情報を動的表示させることが可能に構成され、前記表示手段に前記第１識別情報または前記第２識別情報が特定の表示態様で停止表示された場合に、それぞれに対応した特定遊技が実行されるものであって、前記第１取得手段により取得された前記第１情報を、少なくとも当該第１情報に対する前記第１判定条件が成立するまで、第１の所定数を上限に記憶可能な第１記憶手段と、前記第２取得手段により取得された前記第２情報を、少なくとも当該第２情報に対する前記第２判定条件が成立するまで、第２の所定数を上限に記憶可能な第２記憶手段と、前記第１記憶手段に記憶された前記第１情報の記憶数と、前記第２記憶手段に記憶された前記第２情報の記憶数とを識別可能な記憶数情報を前記表示手段に所定の記憶表示態様で表示させる記憶情報表示手段と、前記第１記憶手段に記憶された前記第１情報を、当該第１情報に基づく前記第１識別情報の動的表示が開始されるまでに事前に判別可能な第１事前判別手段と、前記第２記憶手段に記憶された前記第２情報を、当該第２情報に基づく前記第２識別情報の動的表示が開始されるまでに事前に判別可能な第２事前判別手段と、前記第１事前判別手段の判別結果と、前記第２事前判別手段の判別結果と、に基づいて所定の事前判別情報を設定する事前判別情報設定手段と、遊技者が可能な操作手段と、その操作手段が操作された場合に、前記記憶情報表示手段により前記表示手段に表示された前記記憶表示態様を、前記事前判別情報設定手段により設定された前記事前判別情報を示すための特定記憶表示態様に変更する表示態様変更手段と、を有するものである。
【手続補正３】
【補正対象書類名】明細書
【補正対象項目名】０００８
【補正方法】変更
【補正の内容】
【０００８】
請求項２記載の遊技機は、請求項１記載の遊技機において、前記表示手段は、液晶ディスプレイで構成されているものである。
【手続補正４】
【補正対象書類名】明細書
【補正対象項目名】００１２
【補正方法】変更
【補正の内容】
【００１２】
請求項１記載の遊技機によれば、第１取得条件の成立に基づいて第１情報を取得する第１取得手段と、第２取得条件の成立に基づいて第２情報を取得する第２取得手段と、前記第１取得手段により取得された前記第１情報に基づいて第１判定条件の成立を契機に判定を実行する第１判定手段と、前記第２取得手段により取得された前記第２情報に基づいて第２判定条件の成立を契機に判定を実行する第２判定手段と、前記第１判定手段による前記第１情報の判定結果を示すための第１識別情報と、前記第２判定手段による前記第２情報の判定結果を示すための第２識別情報とを表示可能な表示手段と、その表示手段に前記第１識別情報を所定の第１期間動的表示させる第１動的表示手段と、前記表示手段に前記第２識別情報を所定の第２期間動的表示させる第２動的表示手段と、を有し、前記第１動的表示手段により前記第１識別情報が動的表示されている間に、前記第２動的表示手段により前記第２識別情報を動的表示させることが可能に構成され、前記表示手段に前記第１識別情報または前記第２識別情報が特定の表示態様で停止表示された場合に、それぞれに対応した特定遊技が実行されるものであって、前記第１取得手段により取得された前記第１情報を、少なくとも当該第１情報に対する前記第１判定条件が成立するまで、第１の所定数を上限に記憶可能な第１記憶手段と、前記第２取得手段により取得された前記第２情報を、少なくとも当該第２情報に対する前記第２判定条件が成立するまで、第２の所定数を上限に記憶可能な第２記憶手段と、前記第１記憶手段に記憶された前記第１情報の記憶数と、前記第２記憶手段に記憶された前記第２情報の記憶数とを識別可能な記憶数情報を前記表示手段に所定の記憶表示態様で表示させる記憶情報表示手段と、前記第１記憶手段に記憶された前記第１情報を、当該第１情報に基づく前記第１識別情報の動的表示が開始されるまでに事前に判別可能な第１事前判別手段と、前記第２記憶手段に記憶された前記第２情報を、当該第２情報に基づく前記第２識別情報の動的表示が開始されるまでに事前に判別可能な第２事前判別手段と、前記第１事前判別手段の判別結果と、前記第２事前判別手段の判別結果と、に基づいて所定の事前判別情報を設定する事前判別情報設定手段と、遊技者が可能な操作手段と、その操作手段が操作された場合に、前記記憶情報表示手段により前記表示手段に表示された前記記憶表示態様を、前記事前判別情報設定手段により設定された前記事前判別情報を示すための特定記憶表示態様に変更する表示態様変更手段と、を有するものである。
【手続補正５】
【補正対象書類名】明細書
【補正対象項目名】００１４
【補正方法】変更
【補正の内容】
【００１４】
請求項２記載の遊技機によれば、請求項１記載の遊技機の奏する効果に加え、前記表示手段は、液晶ディスプレイで構成されているものである。よって、液晶表示装置を用いた演出を実行することができるという効果がある。
【手続補正６】
【補正対象書類名】明細書
【補正対象項目名】０５０９
【補正方法】変更
【補正の内容】
【０５０９】
１０          パチンコ機（遊技機）
２２ 枠ボタン（操作手段）
８１          第３図柄表示装置（表示手段）
Ｓ４０５      第１判定手段
Ｓ７１５      第２判定手段
Ｓ９０１      第１取得手段
Ｓ９０６      第１記憶手段
Ｓ９０７      第１事前判別手段
Ｓ９０８      第２取得手段
Ｓ９１３ 第２記憶手段
Ｓ９１４ 第２事前判別手段
Ｓ１５１１    記憶情報表示手段
Ｓ１６０１、Ｓ１６０３    第１動的表示手段
Ｓ１６０６、Ｓ１６０８    第２動的表示手段
Ｓ１４０６    表示態様変更手段
Ｓ１４３１ 事前判別情報設定手段